(57)【要約】【課題】光学フィルムをテープや接着剤等を用いることなく簡単に固定することができるバックライト用光学フィルムの固定構造を提供すること。【解決手段】バックライト１に設けられる導光板２の光出射面上に積層される光学フィルム７の固定構造として、前記導光板３にスリット１０を形成し、該スリット１０に光学フィルム７の一部を差し込むことによって前記光学フィルム７を前記導光板３に固定する構成を採用する。例えば、導光板３の有効発光範囲外の四隅にスリット１０をそれぞれ斜めに形成し、該スリット１０に、光学フィルム７の四隅を差込片として差し込むことによって該光学フィルム７を導光板３に固定する構造とする。【選択図】図４
2013206677.tif 000002
【特許請求の範囲】
【請求項１】
バックライトに設けられる導光板の光出射面上に積層される光学フィルムの固定構造であって、
前記導光板又は前記光学フィルムの一方にスリットを形成し、該スリットに他方の一部を差し込むことによって前記光学フィルムを前記導光板に固定することを特徴とするバックライト用光学フィルムの固定構造。
【請求項２】
前記導光板の有効発光範囲外に前記スリットを形成し、該スリットに、前記光学フィルムに形成された差込片を差し込むことによって該光学フィルムを前記導光板に固定することを特徴とする請求項１記載のバックライト用光学フィルムの固定構造。
【請求項３】
前記光学フィルムの周縁の一部にスリットを入れることによって前記差込片を形成したことを特徴とする請求項２記載のバックライト用光学フィルムの固定構造。
【請求項４】
前記導光板の有効発光範囲外の四隅に前記スリットを斜めに形成し、該スリットに、前記光学フィルムの四隅を前記差込片として差し込むことによって該光学フィルムを前記導光板に固定することを特徴とする請求項２記載のバックライト用光学フィルムの固定構造。
【請求項５】
前記導光板の有効照明範囲外の辺に前記スリットを形成し、該スリットに、前記光学フィルムの外周縁の一部に突設された前記差込片を差し込むことによって該光学フィルムを前記導光板に固定することを特徴とする請求項２記載のバックライト用光学フィルムの固定構造。
【請求項６】
前記差込片に前記スリットよりも長い抜止部を形成したことを特徴とする請求項２〜５の何れかに記載のバックライト用光学フィルムの固定構造。
【発明の詳細な説明】
【技術分野】
【０００１】
本発明は、バックライトに設けられる導光板の光出射面上に積層される光学フィルムの固定構造に関するものである。
【背景技術】
【０００２】
例えば、液晶表示装置には面状光源方式を採用するバックライトが使用されるが、このバックライトは、アクリル樹脂等から成る薄い平板状の導光板と、この導光板の一端面の光入射面に対向配置されたＬＥＤ等の光源と、導光板の光出射面上に積層固定された拡散フィルムやプリズムフィルム等の光学フィルムと、導光板の裏面側に配置された反射シート等によって構成されている（例えば、特許文献１〜３参照）。
【０００３】
ところで、斯かるバックライトにおける拡散フィルムやプリズムフィルム等の光学フィルムは、当該光学フィルム間での傷付き防止、ゴミの侵入対策や異音対策等のために固定される。但し、光学フィルムを完全に固定してしまうと、複数の光学フィルム間や導光板、ケース等の構造物の熱膨張差によって該光学フィルムに撓みが発生し、見栄えが低下したり、輝度に悪影響を与える。
【先行技術文献】
【特許文献】
【０００４】
【特許文献１】特開２００３−０７６２８７号公報
【特許文献２】特開２００７−０１７７８３号公報
【特許文献３】特開２００８−２２６５６１号公報
【発明の概要】
【発明が解決しようとする課題】
【０００５】
光学フィルムの固定方法として、該光学フィルムを構造物によって挟み込んで固定する方式を採用した場合、各光学フィルム同士は相対的に移動可能であるためにこれらに撓みが発生しにくいが、光学フィルム間での傷付き防止、ゴミの侵入対策や異音対策等の効果が低い。このため、両面テープを併用するが、部品点数や組付工数が増えるという問題がある。
【０００６】
光学フィルムを接着剤で接着して固定する方式では、接着剤の硬化時間が長いために生産性が悪い他、特に液状接着剤は毛細管現象によって光学フィルムの微細構造部分に入り込んで光学性能の低下を招く等の問題が発生する。
【０００７】
そして、光学フィルムはプリズムやビーズ等の微細構造を有しているため、これを超音波や振動等で熱溶着して固定することは困難である。
【０００８】
本発明は上記問題に鑑みてなされたもので、その目的とする処は、光学フィルムをテープや接着剤等を用いることなく簡単に固定することができるバックライト用光学フィルムの固定構造を提供することにある。
【課題を解決するための手段】
【０００９】
上記目的を達成するため、請求項１記載の発明は、バックライトに設けられる導光板の光出射面上に積層される光学フィルムの固定構造として、前記導光板又は前記光学フィルムの一方にスリットを形成し、該スリットに他方の一部を差し込むことによって前記光学フィルムを前記導光板に固定する構成を採用することを特徴とする。
【００１０】
請求項２記載の発明は、請求項１記載の発明において、前記導光板の有効発光範囲外に前記スリットを形成し、該スリットに、前記光学フィルムに形成された差込片を差し込むことによって該光学フィルムを前記導光板に固定することを特徴とする。
【００１１】
請求項３記載の発明は、請求項２記載の発明において、前記光学フィルムの周縁の一部にスリットを入れることによって前記差込片を形成したことを特徴とする。
【００１２】
請求項４記載の発明は、請求項２記載の発明において、前記導光板の有効発光範囲外の四隅に前記スリットを斜めに形成し、該スリットに、前記光学フィルムの四隅を前記差込片として差し込むことによって該光学フィルムを前記導光板に固定することを特徴とする。
【００１３】
請求項５記載の発明は、請求項２記載の発明において、前記導光板の有効発光範囲外の辺に前記スリットを形成し、該スリットに、前記光学フィルムの外周縁の一部に突設された前記差込片を差し込むことによって該光学フィルムを前記導光板に固定することを特徴とする。
【００１４】
請求項６記載の発明は、請求項２〜５の何れかに記載の発明において、前記差込片に前記スリットよりも長い抜止部を形成したことを特徴とする。
【発明の効果】
【００１５】
本発明によれば、導光板又は光学フィルムの一方に形成されたスリットに他方の一部を差し込むことによって、テープや接着剤を用いることなく光学フィルムを導光板に簡単に固定することができる。そして、このように固定された複数の光学フィルムは、完全に固定されておらず、互いに相対移動可能であるため、熱膨張差によって撓みを発生することがなく、バックライトの外観品質と光学特性が高められる。
【００１６】
又、光学フィルムの固定にテープや接着剤を使用しないため、導光板を薄くしてその柔軟性を高めることができるとともに、バックライトの薄型化を実現することができる。
【図面の簡単な説明】
【００１７】
【図１】バックライトの分解斜視図である。
【図２】本発明の実施の形態１に係る光学フィルムの固定構造を示す導光板の平面図である。
【図３】図２のＡ部拡大詳細図
【図４】本発明の実施の形態１に係る固定構造による光学フィルムの固定手順を示す平面図であって、（ａ）は固定前の状態を示す図、（ｂ）は固定後の状態を示す図である。
【図５】図４（ｂ）のＢ部拡大詳細図である。
【図６】本発明の実施の形態２に係る光学フィルムの固定構造による光学フィルムの固定手順を示す平面図であって、（ａ）は固定前の状態を示す図、（ｂ）は固定後の状態を示す図である。
【図７】図６（ａ）のＣ部拡大詳細図である。
【図８】図６（ｂ）のＤ部拡大詳細図である。
【図９】本発明の実施の形態２に係る固定構造の変形例を示す図８と同様の図である。
【図１０】本発明の実施の形態３に係る光学フィルムの固定構造による光学フィルムの固定手順を示す平面図であって、（ａ）は固定前の状態を示す図、（ｂ）は固定後の状態を示す図である。
【図１１】図１０（ａ）のＥ部拡大詳細図である。
【図１２】図１０（ｂ）のＦ部拡大詳細図である。
【図１３】本発明の実施の形態４に係る光学フィルムの固定構造による光学フィルムの固定手順を示す平面図であって、（ａ）は固定前の状態を示す図、（ｂ）は固定後の状態を示す図である。
【図１４】図１３（ｂ）のＧ部拡大詳細図である。
【図１５】本発明の実施の形態４に係る固定構造の変形例を示す光学フィルムの部分平面図である。
【発明を実施するための形態】
【００１８】
以下に本発明の実施の形態を添付図面に基づいて説明する。
【００１９】
図１はバックライトの構成を示す分解斜視図であり、図示のバックライト１は、液晶表示装置の照明用として使用されるものであって、光源として複数のＬＥＤ（発光ダイオード）２を用いている。
【００２０】
而して、バックライト１は、アクリル樹脂等から成る薄い平板状の導光板３と、この導光板３の一端面の光入射面に対向配置された複数の前記ＬＥＤ２を列状に実装するフィルム基板４と、これらの導光板３とフィルム基板４を収納保持する枠状フレーム５及び面状フレーム６を備えている。
【００２１】
ここで、上記導光板３の光出射面（上面）には、光学フィルムとしての拡散フィルム７ａ及び２枚のプリズムフィルム７ｂ，７ｃが積層状態で固定されており、導光板３の裏面（下面）側には反射シート８が配されている。又、導光板３の光入射面には、前記フィルム基板４がこれに実装された複数のＬＥＤ２の発光面が密着するように白色両面テープ（ＦＰＣテープ）９によって貼り付けられている。
【００２２】
次に、光学フィルムである前記拡散フィルム７ａと前記プリズムフィルム７ｂ，７ｃの固定構造の実施形態について説明する。尚、以下の説明では、拡散フィルム７ａ及び２枚のプリズムフィルム７ｂ，７ｃを総称して光学フィルム７とし、この光学フィルム７の固定構造について説明する。
【００２３】
＜実施の形態１＞
図２は本発明の実施の形態１に係る光学フィルムの固定構造を示す導光板の平面図、図３は図２のＡ部拡大詳細図、図４は光学フィルムの固定手順を示す平面図であって、（ａ）は固定前の状態を示す図、（ｂ）は固定後の状態を示す図、図５は図４（ｂ）のＢ部拡大詳細図である。
【００２４】
本実施の形態においては、図２及び図３に示すように、導光板３の有効発光範囲外の四隅に直線状のスリット１０を斜めに形成し、該スリット１０に記光学フィルム７の四隅を差込片として差し込むことによって該光学フィルム７を導光板３に固定するようにしている。即ち、図４（ａ）に矢印にて示すように光学フィルム７を導光板３の上方へと移動させて導光板３の上に重ね、その四隅を図４（ｂ）及び図５に示すように導光板３の各スリット１０に上方から差し込めば、光学フィルム７がテープや接着剤を用いることなく導光板３に簡単に固定される。
【００２５】
上述のようにして固定された複数の光学フィルム７は、完全に固定されておらず、その四隅が差し込まれて導光板３に互いに相対移動可能に固定されているため、熱膨張差によって撓みを発生することがなく、図１に示すバックライト１の外観品質と光学特性が高められる。
【００２６】
又、光学フィルム７の固定にテープや接着剤を使用しないため、導光板３を薄くしてその柔軟性を高めることができるとともに、バックライト１の薄型化を実現することができる。
【００２７】
＜実施の形態２＞
次に、本発明の実施の形態２に係る光学フィルムの固定構造を図６〜図９に基づいて以下に説明する。
【００２８】
図６は本発明の実施の形態２に係る光学フィルムの固定構造による光学フィルムの固定手順を示す平面図であって、（ａ）は固定前の状態を示す図、（ｂ）は固定後の状態を示す図、図７は図６（ａ）のＣ部拡大詳細図、図８は図６（ｂ）のＤ部拡大詳細図である。
【００２９】
本実施の形態においても、図６(ａ)に示すように導光板３の有効発光範囲外の四隅に直線状のスリット１０を斜めに形成しているが、光学フィルム７の四隅には先端が尖った差込片７Ａがそれぞれ形成されている。
【００３０】
而して、図４（ａ）に矢印にて示すように光学フィルム７を導光板３の上方へと移動させて導光板３の上に重ね、その四隅に形成された差込片７Ａを導光板３の各スリット１０に上方からそれぞれ差し込めば、実施の形態１と同様に接着剤を用いることなく光学フィルム７が導光板３に簡単に固定され、本実施の形態においても前記実施の形態１と同様の効果が得られる。
【００３１】
ここで、本実施の形態の変形例を図９に示すが、同図に示すように光学フィルム７の四隅に形成された差込片７Ａを三角形状とし、その一辺の長さをスリット１０の長さよりも長くして抜止部７ｄとして構成すれば、この差込片７ｄが導光板３のスリット１０に一旦差し込まれた後には、該差込片７Ａの抜止部７ｄがスリット１０に係合して差込片７Ａの抜けを防ぐため、一旦固定された光学フィルム７が導光板３から抜けにくくなり、該光学フィルム７の固定が安定化する。
【００３２】
＜実施の形態３＞
次に、本発明の実施の形態３に係る光学フィルムの固定構造を図１０〜図１２に基づいて以下に説明する。
【００３３】
図１０は本発明の実施の形態３に係る光学フィルムの固定構造による光学フィルムの固定手順を示す平面図であって、（ａ）は固定前の状態を示す図、（ｂ）は固定後の状態を示す図、図１１は図１０（ａ）のＥ部拡大詳細図、図１２は図１０（ｂ）のＦ部拡大詳細図である。
【００３４】
本実施の形態においても、図１０(ａ)に示すように導光板３の有効発光範囲外の四隅に直線状のスリット１０を斜めに形成しているが、光学フィルム７の四隅には２本のスリット１１によって差込片７Ａがそれぞれ形成されている。
【００３５】
而して、本実施の形態においても、図１０（ａ）に矢印にて示すように光学フィルム７の四隅に形成された差込片７Ａを導光板３の各スリット１０に上方からそれぞれ差し込めば、実施の形態１，２と同様に接着剤を用いることなく光学フィルム７を導光板３に簡単に固定することができ、本実施の形態においても前記実施の形態１と同様の効果が得られる。
【００３６】
＜実施の形態４＞
次に、本発明の実施の形態４に係る光学フィルムの固定構造を図１３及び図１４に基づいて以下に説明する。
【００３７】
図１３は本発明の実施の形態４に係る光学フィルムの固定構造による光学フィルムの固定手順を示す平面図であって、（ａ）は固定前の状態を示す図、（ｂ）は固定後の状態を示す図、図１４は図１３（ｂ）のＧ部拡大詳細図である。
【００３８】
本実施の形態においては、図１３(ａ)に示すように導光板３の有効発光範囲外の光入射面が設けられた辺を除く３辺に直線状のスリット１０をそれぞれ形成する一方、光学フィルム７の外周縁の前記スリット１０に対応する箇所に差込片７Ａをそれぞれ突設している。
【００３９】
而して、本実施の形態においては、図１３（ｂ）に矢印にて示すように光学フィルム７の外周縁に突設された差込片７Ａを導光板３の各スリット１０に上方からそれぞれ差し込めば、実施の形態１〜３と同様に接着剤を用いることなく光学フィルム７を導光板３に簡単に固定することができ、本実施の形態においても前記実施の形態１と同様の効果が得られる。
【００４０】
尚、光学フィルムの外周縁に突設された舌片状の差込片７Ａに代えて、図１５に示すように光学フィルム７の外周縁の対応する箇所に２本のスリット１１によって差込片７Ａを形成し、この差込片７Ａを導光板３のスリット１０に差し込むようにしても良い。
【００４１】
尚、以上の実施の形態では、導光板にスリットを形成し、光学フィルムに差込片を形成し、この差込片を導光板のスリットに差し込んで光学フィルムを導光板に固定する構成を採用したが、これとは逆に導光板に差込片を形成し、光学フィルムにスリットを形成し、走行板の差込片を光学フィルムのスリットに差し込んで該光学フィルムを導光板に固定する構成を採用しても良い。
【符号の説明】
【００４２】
１          バックライト
２          ＬＥＤ
３          導光板
４          フィルム基板
５          枠状フレーム
６          面状フレーム
７          光学フィルム
７Ａ        光学フィルムの差込片
７ａ        拡散フィルム
７ｂ，７ｃ  プリズムフィルム
７ｄ        差込片の抜止部
８          反射シート
９          白色両面テープ
１０        導光板のスリット
１１        光学フィルムのスリット
【図１】
2013206677.tif 000003
【図２】
2013206677.tif 000004
【図３】
2013206677.tif 000005
【図４】
2013206677.tif 000006
【図５】
2013206677.tif 000007
【図６】
2013206677.tif 000008
【図７】
2013206677.tif 000009
【図８】
2013206677.tif 000010
【図９】
2013206677.tif 000011
【図１０】
2013206677.tif 000012
【図１１】
2013206677.tif 000013
【図１２】
2013206677.tif 000014
【図１３】
2013206677.tif 000015
【図１４】
2013206677.tif 000016
【図１５】
2013206677.tif 000017